(57)【要約】      （修正有）【課題】天然物由来のオイル成分を有効成分とし、したがって安全性に懸念が無く、肌荒れの改善や皮膚の老化防止に優れた効果を発揮する新たな化粧石鹸を提供する。【解決手段】生ココナッツを低温圧搾した生ココナッツ油と、生ゴマ種子を低温圧搾した生ゴマ油を主成分としてコールドプレス製法にて製造した天然植物性固形石鹸１である。【選択図】図１
0003187672.tif 000002
【実用新案登録請求の範囲】
【請求項１】
生ココナッツ油と低温で圧搾した生ゴマ種子由来の有効成分とからなり、生ココナッツを低温で圧搾して注したナッツオイルと、生ゴマ種子由来の有効成分の抗酸化剤のゴマリグナン類として、０．９重量％以上含有する高濃度含有物の形態で、脂肪酸として、飽和脂肪酸の総量を２０重量％以下、及び不飽和脂肪酸の全量で８０％以上を含有しているゴマ種子から分離した含有物の形態成分とからなり、大きさとして１０〜１００ｇの略球形、略長方体、略正方体，異方体から選ばれた固形状であることを特徴とする天然植物性固形石鹸
【請求項２】
ココナッツの油は生ココナッツを低温で圧搾して注したオイルであって、ラウリン酸、ミリスチン酸、カプリン酸、カプリル酸、パルミチン酸、ステアリン酸の脂肪酸を９５％以上含有していることを特徴とする、請求項１記載の天然植物性固形石鹸
【請求項３】
低温で圧搾した生ゴマ種子由来の有効成分は、当該の生ゴマ種子由来の有効成分の抗酸化剤のゴマリグナン類として、０．９重量％以上含有する高濃度含有物の形態で、セサミン、セサモリン、エピセサミン、セサモール、セサミノール、セサモリノールを含む、脂肪酸として、飽和脂肪酸のパルミチン酸とステアリン酸との総量を２０重量％以下、不飽和脂肪酸のオレイン酸を３０重量％以上とリノール酸を４０重量％以上で、不飽和脂肪酸の全量で８０％以上を含有し、酵素として、カタラーゼ、プロテアーゼ、ペプチダーゼであって、これらの酵素のうちいずれか一種類以上を含有しているゴマ種子から分離した含有物の形態で提供されることを特徴である請求項１又は請求項２に記載の天然植物性固形石鹸
【請求項４】
生ココナッツ油と生ゴマ種子由来のゴマグリナン類を含有するセサミンオイルとの重量比率はココナッツ油１に対して０．５〜０．７の範囲で、ココナッツ油とゴマ種子由来のゴマグリナン類を含有するセサミンオイルの混合物に温和なケン化条件維持のために、４０℃以下の低温の条件を保持しながら、苛性ソーダを添加したものに、レッドクレイ又は、セサミクレイ又は、芳香性の精油を添加していることを特徴である請求項１〜請求項３のいずれかに記載の天然植物性固形石鹸
【請求項５】
固形石鹸の大きさは、１０〜５００ｇの重量を持つ略球形、略長方体、略正方体，異方体から選ばれた固形状であって、周囲を樹脂、紙、布のシートで包装さていることを特徴である請求項１〜請求項４のいずれかに記載の天然植物性固形石鹸
【考案の詳細な説明】
【技術分野】
【０００１】本考案は、肌荒れの改善や皮膚の老化防止に優れた効果を有する生ゴマ油とココナッツ油から得られた肌に優しい天然植物性固形石鹸に関する。
【背景技術】
【０００２】従来、肌荒れの改善や皮膚の老化防止を目的として、乳液、クリーム、化粧水、パック、洗浄料、軟膏等、各種の化粧料が使用されている。かかる化粧石鹸の薬効成分としては、合成品、天然物からの抽出物、それらの誘導体等、多種多様な薬効成分が提案されており、なかでも安全性の面で天然物からの抽出物が多く提案されている（特開２０００−１１９１５５、特開平１１−１８０８８５、特開平１０−４５６１５）。しかしながら、これら天然物からの抽出物には、薬効成分の効果が不充分であったり、その効果にバラツキがあるという欠点がある。
【先行技術文献】
【特許文献】
【０００３】
【特許文献１】特開２００７−２１７４７９号
【特許文献２】特開２００７−１１２９４３号
【特許文献３】特開２００５−２６４１２８号
【特許文献４】特開２００５−８９６７５号
【特許文献５】特開平１０−１３０１３８号
【考案の概要】
【考案が解決しようとする課題】
【０００４】本考案が解決しようとする課題は、天然物から抽出されたゴマ種子由来のゴマグリナン類と脂肪酸、酵素を含有する皮膚に有効な成分とココナッツ油からなる石鹸が、肌荒れの改善や皮膚の老化防止に対する薬効成分の効果に優れ、その効果にバラツキが無い化粧石鹸を提供する処にある。
【課題を解決するための手段】
【０００５】低温で圧搾した生ココナッツ油と生ゴマ油からなる。
大きさとして１０〜５００ｇの略球形、略長方体、略正方体，異方体から選ばれた形状であることを特徴とする天然植物性固形石鹸【０００６】生ココナッツ油は生ココナッツを低温で圧搾して抽出したオイルであり、ラウリン酸、ミリスチン酸、カプリン酸、カプリル酸、パルミチン酸、ステアリン酸等の脂肪酸を９５％以上含有している。レッドクレイ、セサミクレイ、芳香性の精油を添加している。【０００７】生ゴマ油は生ゴマ種子を低温で圧搾して抽出したオイルである。抗酸化剤としてセサミン、セサモリン、エピセサミン、セサモール、セサミノール、セサモリノールを含むゴマリグナン類を０．９重量％以上含有する高濃度含有物の形態である。脂肪酸として、飽和脂肪酸のパルミチン酸とステアリン酸との総量を２０重量％以下、不飽和脂肪酸のオレイン酸を３０重量％以上とリノール酸を４０重量％以上で、脂肪酸全量で８０％以上を含有する。酵素として、カタラーゼ、プロテアーゼ、ペプチダーゼのうちいずれか一種類以上を含有している。【０００８】天然植物性固形石鹸は、生ココナッツ油と生ゴマ油の混合物にレッドクレイ、セサミクレイのどちらか一方、あるいは両者を０．１〜０．２重量％添加し、苛性ソーダで鹸化する。【０００９】天然植物性固形石鹸は、生ココナッツ油と生ゴマ油の混合物に芳香性の精油を０．１〜１．０％添加し、苛性ソーダで鹸化する。
芳香性の精油として、ローズオイル、バニラオイル、オレンジオイル、ミントオイル、ラベンダーオイルが使用される。
【考案の効果】
【００１０】本考案には、天然物である生ゴマ種子由来のゴマリグナン類と生ココナッツ油とを有効成分とし、したがって安全性に懸念が無く、肌荒れの改善や皮膚の老化防止に優れた効果を発揮し、しかもその効果にバラツキが無い化粧料を提供できるという効果がある。【００１１】石鹸は、美感がよく、添加した精油により芳香性がよい。また、石鹸基材は、コールドプレス製法による鹸化を行うため、天然のグリセリンや脂肪酸が残り比較的柔らかい物質となる。ナイフなどを用いて所望の長さに簡単にカットすることができ、販売形態が多様になる。
栄養価が高く抗酸化の高いゴマ油を使用することで皮膚の活性化と老化防止に役立つ。
泡立ちが良く天然グリセリンにより洗い上がりがしっとりする。化学物質を使用しないため石鹸物質が肌に浸透するのを防ぎすばやく洗い流せる。水による分解が早いため環境にやさしい石鹸である。【００１２】上記目的は、美感、匂いが良好になることにより達成される。また、油脂を反応釜に入れて加熱する加熱工程と、加熱工程で生成された溶解液を型枠に流し込む造形工程と、冷却，乾燥，熟成する固形化工程、クレイ粉末を混入させる工程とからなることによって、効果的に達成される。【００１３】さらに、オイル類の脂肪酸をアルカリで中和する中和工程と、形成された脂肪酸塩に添加する添加工程、型枠に流し込む造形工程、冷却，乾燥，熟成する固形化工程と、固形化工程とからなることによって、より効果的に達成される。
【図面の簡単な説明】
【００１４】
【図１】１００ｇ立方体天然植物性固形石鹸の図
【図２】５０ｇ長方体天然植物性固形石鹸の図
【図３】３０ｇ球形天然植物性固形石鹸の図
【図４】ネット入り１００ｇ立方体天然植物性固形石鹸の図
【実施例１】
【００１５】スリランカ産の生ココナッツより抽出した生ココナッツ油とスリランカ産白ゴマ種子から低温圧搾抽出したセサミオイルを２：１に混ぜて、３０℃の湯銭にかけ温める。これに２７％の水酸化ナトリウムの水溶液１２００ｃｃを十分に撹拌しながら徐々に添加した。添加時の温度は３０℃以上にならないように調整した。この際約３０分間程度十分な撹拌を行なった。この液を型枠に入れて１週間程度熟成し、さらに型枠から出して３ヶ月熟成した後、製品の石鹸にした。【００１６】栄養価が高く抗酸化の高いゴマ油を使用することで皮膚の活性化やしわ・たるみなどを抑える事が出来る。
泡立ちがよく天然グリセリンにより洗い上がりがしっとりする。化学物質を使用しないため石鹸物質が肌に浸透するのを防ぎすばやく洗い流せる。また飽和脂肪酸のココナッツを使用する事でビロード状の皮膚を形成する事ができる。
水による分解が早いため環境にやさしい石鹸である。
【実施例２】
【００１７】スリランカ産の生ココナッツから抽出した生ココナッツ油とスリランカ産白ゴマから低温圧搾抽出したゴマ油を２：１に混ぜて、３０℃の湯銭にかけ温める。レッドクレイの水溶液５０ｇとラベンダーオイルを５０ｇ加えて、これに２７％の水酸化ナトリウムの水溶液１２００ｃｃを十分に撹拌しながら徐々に添加した。添加時の温度は３０℃以上にならないように調整した。この際約３０分間程度十分な撹拌を行なった。この液を型枠に入れて１週間程度熟成し、さらに型枠から出して３ヶ月熟成した後、製品の石鹸にした。
レッドクレイは毛穴のケア・黒ずみ・角質・老化物質を吸着させキメの細かい美しい肌を作る事が出来る。
ラベンダーの香りが脳をリラックスさせる。飽和脂肪酸のココナッツを使用する事でビロード状の皮膚を形成する事ができる。水による分解が早いため環境にやさしい石鹸である。
【実施例３】
【００１８】スリランカ産生ココナッツより抽出した生ココナッツ油とスリランカ産白ゴマから低温圧搾抽出したゴマ油を２：１に混ぜて、３０℃の湯銭にかけ温める。セサミクレイ（沈殿物）を５ｇ加えて、これに２７％の水酸化ナトリウムの水溶液１２００ｃｃを十分に撹拌しながら徐々に添加した。添加時の温度は３０℃以上にならないように調整した。この際約３０分間程度十分な撹拌を行なった。この液を型枠に入れて１週間程度熟成し、さらに型枠から出して３ヶ月熟成した後、製品の石鹸にした【００１９】ゴマ沈殿物の中にはビタミンＢが豊富に含まれており皮膚形成に重要な栄養物質である
その栄養豊富な沈殿物とセサミの抗酸化物質使用することにより美白・しみ・皮膚形成に大いに役立つ石鹸ができる。
飽和脂肪酸の生ココナッツ果汁から採れるオイルを使用する事でビロード状の皮膚を形成する事ができる。水による分解が早いため環境にやさしい石鹸である。
【符号の説明】
【００２０】１．天然植物性固形石鹸
２．球状天然植物性固形石鹸
３．カット部分に香り部
４・メッシュン布
５・レッドクレイ入り石鹸のはめこみ型穴
６．包装容器
【図１】
0003187672.tif 000003
【図２】
0003187672.tif 000004
【図３】
0003187672.tif 000005
【図４】
0003187672.tif 000006
【手続補正書】
【提出日】平成25年9月27日(2013.9.27)
【手続補正１】
【補正対象書類名】実用新案登録請求の範囲
【補正対象項目名】請求項５
【補正方法】変更
【補正の内容】
【請求項５】
固形石鹸の大きさは、１０〜１００ｇの重量を持つ略球形、略長方体、略正方体，異方体から選ばれた固形状であって、周囲を樹脂、又は紙、又は布のシートで包装されていることを特徴である請求項１〜請求項４のいずれかに記載の天然植物性固形石鹸